(57)【要約】  本センサチップ（１１）は、板体状の基体（１５）と、この基体（１５）の厚み方向に設けられるとともに測定用の血液３が流入する流入口（２０）と、この流入口（２０）に連通した供給路（２１）と、この供給路（２１）に設けられた検出電極（１７，１８，１９）とを備え、基体（１５）には余剰血液（３ａ）を吸引するとともに、この吸引した余剰血液（３ａ）を貯える余剰血液貯留部（２５）が設けられたものである。
2010116624.tif 000002
【特許請求の範囲】
【請求項１】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備えているセンサチップ。
【請求項２】
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引する、
請求項１に記載のセンサチップ。
【請求項３】
前記流入口は、前記基体の一方の端面に設けられるとともに、
前記余剰血液流入口は、前記流入口が設けられた端面とは異なる前記基体の端面に設けられる、
請求項２に記載のセンサチップ。
【請求項４】
前記余剰血液貯留部は、前記基体の一面または二面以上の面において開口している、
請求項１に記載のセンサチップ。
【請求項５】
前記余剰血液貯留部の容積は、前記供給路の容積より大きい、
請求項１に記載のセンサチップ。
【請求項６】
前記余剰血液貯留部の容積は、前記基体の体積の３分の２以下である、
請求項１から５のいずれかに記載のセンサチップ。
【請求項７】
前記余剰血液流入口は、複数設けられている、
請求項２に記載のセンサチップ。
【請求項８】
前記余剰血液流入口は、前記基体の長手方向の中心線を基準に対称位置に配置されている、
請求項７に記載のセンサチップ。
【請求項９】
複数設けられている前記余剰血液流入口は、互いに隣接する位置に配置されている、
請求項７に記載のセンサチップ。
【請求項１０】
前記余剰血液貯留部は、複数設けられている、
請求項１または２に記載のセンサチップ。
【請求項１１】
複数の前記余剰血液貯留部は、前記基体の長手方向の中心線を基準に対称位置に配置されている、
請求項１０に記載のセンサチップ。
【請求項１２】
複数の前記余剰血液貯留部の形状は、それぞれ同一形状に形成されている、
請求項１０に記載のセンサチップ。
【請求項１３】
複数の前記余剰血液貯留部の形状は、それぞれ異なる形状に形成されている、
請求項１０に記載のセンサチップ。
【請求項１４】
前記供給路と前記余剰血液貯留部とは、同一部材で形成されている、
請求項１に記載のセンサチップ。
【請求項１５】
前記基体は、基板とスペーサとカバーとが積層されて形成されている、
請求項１４に記載のセンサチップ。
【請求項１６】
前記供給路と前記余剰血液貯留部とは、同一の層に形成されている、
請求項１５に記載のセンサチップ。
【請求項１７】
前記供給路と前記余剰血液貯留部とは、前記スペーサによって形成される空間として形成されている、
請求項１５に記載のセンサチップ。
【請求項１８】
前記供給路と前記余剰血液貯留部とは、異なる層に形成されている、
請求項１に記載のセンサチップ。
【請求項１９】
前記供給路と前記余剰血液貯留部とは、別部材で形成されている、
請求項１８に記載のセンサチップ。
【請求項２０】
前記基体は、基板とスペーサとカバーと余剰血液吸引用スペーサとが積層されて形成されている、
請求項１８または１９に記載のセンサチップ。
【請求項２１】
前記基体は、基板とスペーサとカバーと余剰血液吸引用スペーサと余剰血液吸引用カバーとが積層されて形成されている、
請求項１８または１９に記載のセンサチップ。
【請求項２２】
前記余剰血液貯留部内には、複数個の凸が設けられている、
請求項１、１５、１８および１９のいずれか１つに記載のセンサチップ。
【請求項２３】
前記基体は、前記余剰血液貯留部内へ流入した血液を検知する余剰血液検知電極を有している、
請求項１に記載のセンサチップ。
【請求項２４】
前記流入口は、前記基体の第１の辺側に設けられるとともに、
前記余剰血液流入口は、前記流入口側の第２の辺に設けられている、
請求項２に記載のセンサチップ。
【請求項２５】
前記流入口は、前記基体の第１の辺側に設けられ、
前記余剰血液流入口は、前記基体の第２の辺側に設けられるとともに、
前記余剰血液貯留部内には、複数個の凸が形成されている、
請求項２に記載のセンサチップ。
【請求項２６】
前記基体の第１の辺側に、前記余剰血液流入口が設けられているとともに、
前記基体の第２の辺側に、測定用血液の流入口が設けられている、
請求項２に記載のセンサチップ。
【請求項２７】
前記基体の第１の辺全体に、前記余剰血液流入口が設けられているとともに、
前記基体の第２の辺の略中央に前記流入口が設けられている、
請求項２に記載のセンサチップ。
【請求項２８】
前記基体の第１の辺全体に前記余剰血液流入口が設けられているとともに、
前記余剰血液貯留部内には、複数個の凸が形成されており、
前記基体の互いに対向する辺間を貫通する供給路をさらに備えている、
請求項２に記載のセンサチップ。
【請求項２９】
前記基体の第１の辺に前記余剰血液流入口が設けられているとともに、
前記基体の互いに対向する辺間を貫通する供給路をさらに備えている、
請求項２に記載のセンサチップ。
【請求項３０】
前記基体の第１の辺側に前記流入口が設けられているとともに、
前記基体の第２の辺側に前記余剰血液流入口が設けられている、
請求項２に記載のセンサチップ。
【請求項３１】
前記基体は、略長方形状を有しており、
前記流入口は、前記略長方形の第１の短辺に設けられており、
前記余剰血液貯留部は、前記基体の上面あるいは下面に貼り付けられた余剰血液吸引部材である、
請求項１に記載のセンサチップ。
【請求項３２】
前記供給路は、前記流入口側とは反対の位置に設けられ、外気に連通する第１の空気孔を有している、
請求項１に記載のセンサチップ。
【請求項３３】
前記余剰血液貯留部は、余剰血液を吸引するために設けられており、外気に連通する第２の空気孔を有している、
請求項１または３２に記載のセンサチップ。
【請求項３４】
前記余剰血液流入口及びその周辺部分は、撥水処理されている、または撥水性部材で形成されている、
請求項２に記載のセンサチップ。
【請求項３５】
前記余剰血液貯留部は、前記基体に設けられ前記分析に使用されなかった余分な生体試料である余剰血液を吸収する吸収部材である、
請求項１に記載のセンサチップ。
【請求項３６】
前記吸収部材は、前記基体の一面に取りつけられた薄膜形状を有している、
請求項３５に記載のセンサチップ。
【請求項３７】
前記吸収部材は、不織布で形成されている、
請求項３５に記載のセンサチップ。
【請求項３８】
筐体と、
請求項１から３７のいずれか１つに記載のセンサチップが挿入され、前記筐体の一方に設けられるセンサ挿入部と、
前記センサ挿入部に設けられたコネクタと、
前記コネクタに接続された測定回路部と、
前記測定回路部の出力に接続されており、前記測定回路部において測定された前記センサチップに導入された生体試料の分析データの測定結果を表示する表示部と、
を備えている測定器。
【請求項３９】
前記センサ挿入部に挿入される前記センサチップは、前記余剰血液貯留部内へ流入した血液を検知する余剰血液検知電極を有し、
前記コネクタに設けられており、前記センサチップに余剰血液が吸引されたことを検出する余剰血液検出電極用の端子を、さらに備えている、
請求項３８に記載の測定器。
【請求項４０】
前記余剰血液検出電極用端子は、前記分析用の検出電極と接続する接続端子の一部または全部の端子を兼用している、
請求項３９に記載の測定器。
【請求項４１】
筐体と、
請求項１から３７のいずれか１つに記載のセンサチップが挿入され、前記筐体の一部に設けられるセンサ挿入部と、
前記センサ挿入部に対向する位置または近傍する位置に設けられており、皮膚を穿刺する穿刺手段と、
前記センサ挿入部に設けられたコネクタと、
前記コネクタに接続され、生体試料の分析を行なう電気回路部と、
前記電気回路部の出力に接続された表示部と、
を備えた血液検査装置。
【請求項４２】
前記センサチップは、前記余剰血液貯留部内へ流入した血液を検知する余剰血液検知電極を有し、
前記センサチップに取り込んだ余剰血液の検出を行なう余剰血液検出回路部を、さらに備えている、
請求項４１に記載の血液検査装置。
【発明の詳細な説明】
【技術分野】
【０００１】
本発明は、血糖値等を測定するセンサチップとこれを用いる測定器及び血液検査装置に関するものである。
【背景技術】
【０００２】
以下、従来のセンサチップとこのセンサチップを用いた血液の検査方法について説明する。【０００３】
糖尿病患者は、定期的に血糖値を測定し、その血糖値に基づいてインスリンを注射し、血糖値を正常に保つ必要がある。そのため、患者は、指先等から少量の血液を採取し、この採取した血液から血糖値を検出する。この血糖値を検出するためにセンサチップ１（図４３参照）が必要となる。【０００４】
センサチップ１は、基体２と、流入口４と、供給路（図示せず）と、この供給路４ａに設けられた検出電極４ｂと、供給路４ａの終端に設けられた空気孔４ｃとを有している。基体２は、略長方形状を有するとともに板体状である。流入口４は、この基体２の一方の短辺に設けられるとともに測定用の血液３が流入する。供給路４ａは、この流入口４に連通している。検出電極４ｂは、この供給路４ａに設けられている。空気孔４ｃは、供給路４ａの終端に設けられている。【０００５】
このセンサチップ１を用いた血液検査方法は、先ず、図４４に示すように穿刺器具５を、指６ａ等の皮膚６に当接させる。この状態で、穿刺器具５の穿刺ボタン５ａを押下する。穿刺ボタン５ａの押下により指６ａ（皮膚６）が穿刺される。その後、図４５に示すように、穿刺された指６ａ（皮膚６）の周りに圧をかけて血液３を滲出させる。【０００６】
次に、図４６に示すように、センサチップ１が装着された測定器７を用いて血糖値を測定する。即ち、滲出した血液３に対して、センサチップ１の流入口４を当接させる。血液３は供給路４ａを介して検出電極４ｂへ導かれる。検出電極４ｂへ導かれた血液３の血糖値が測定され、その結果は表示部７ａに表示される。そして、この血糖値に基づいて決められた量のインスリンを注射する。【０００７】
血糖値の測定においては、血液３の不足に起因する測定不良などを防止するため、通常、多めに血液３を滲出させる。その結果として、余剰血液３ａが測定に使用されずに皮膚上に残される。残った余剰血液３ａは、衛生上も安全上そのまま放置しておくことは好ましくない。よって、図４７に示すようにティシュ８ａや洗浄綿（図示せず）等を別に用意しておき、この用意したティシュ８ａや洗浄綿８ｂを用いて余剰血液３ａを拭き取る必要がある。【０００８】
この出願の発明に関連する先行技術文献情報としては、例えば、特許文献１が知られている。
【先行技術文献】
【特許文献】
【０００９】
【特許文献１】特開２００５−１１０７１２号公報
【発明の概要】
【００１０】
しかしながらこのような従来の方法では、以下のような煩わしい作業が必要であった。
即ち、余剰血液３ａを拭き取るために、ユーザはティシュ８ａや洗浄綿８ｂ等を持ち歩かなければならない。更に、ユーザは拭き取った後の余剰血液３ａが付着したティシュ８ａや洗浄綿８ｂ等を持ち歩かなければならない。このように、余剰血液３ａを拭き取るためにティシュ８ａや洗浄綿８ｂ等を持ち歩くことは、ユーザにとっては衛生上且つ安全上好ましくなく、かつその処理は煩わしいものであった。
【００１１】
そこで、本発明はこのような問題を解決したものであり、余剰血液を容易に処理することができるセンサチップを提供することを目的としたものである。
【００１２】
この目的を達成するために、本発明のセンサチップは、生体試料の成分を分析するセンサチップであって、板体状の基体と、流入口と、供給路と、検出電極と、余剰血液貯留部と、を備えている。流入口は、基体の一端に設けられるとともに、分析用の生体試料が流入する。供給路は、流入口に連通し、生体試料が導入される。検出電極は、供給路に設けられ、分析用の信号を検出する。余剰血液貯留部は、基体に設けられており、分析に使用されなかった余分な生体試料である余剰血液を吸引して貯える。
【００１３】
本発明の測定器は、上記センサチップを使用する測定器であって、筐体と、センサ挿入部と、コネクタと、測定回路部と、表示部と、を備えている。センサ挿入部は、上記センサチップが挿入され、筐体の第１端部に設けられる。コネクタは、センサ挿入部に設けられている。測定回路部は、コネクタに接続されている。表示部は、測定回路部の出力に接続されており、測定回路部において測定されたセンサチップに導入された生体試料の分析データの測定結果を表示する。
【００１４】
本発明の血液検査装置は、上記センサチップを使用する装置であって、筐体と、センサ挿入部と、穿刺手段と、コネクタと、電気回路部と、表示部と、を備えている。センサ挿入部は、上記センサチップが挿入され、筐体の一部に設けられる。穿刺手段は、センサ挿入部に対向する位置または近傍する位置に設けられており、皮膚を穿刺する。コネクタは、センサ挿入部に設けられている。電気回路部は、コネクタに接続され、生体試料の分析を行なう。表示部は、電気回路部の出力に接続されている。
【図面の簡単な説明】
【００１５】
【図１】本発明の実施の形態１に係るセンサチップの平面図。
【図２】図１のＡ−Ａ断面図。
【図３】図１のＢ−Ｂ断面図。
【図４】図１のセンサチップの分解平面図。（ａ）は、カバーの平面図。（ｂ）は、スペーサの平面図。（ｃ）は、基板の平面図。
【図５】図１のセンサチップの分解斜視図。
【図６】図１のセンサチップを用いた測定器のブロック図。
【図７】図１のセンサチップを測定器に装着した状態を示す外観斜視図。
【図８】本発明の実施の形態２に係るセンサチップの平面図。
【図９】図８のＣ−Ｃ断面図。
【図１０】図８のＤ−Ｄ断面図。
【図１１】図８のセンサチップの分解平面図。（ａ）は、余剰血液吸引用カバーの平面図。（ｂ）は、余剰血液吸引用スペーサの平面図。（ｃ）は、カバーの平面図。（ｄ）は、スペーサの平面図。（ｅ）は、基板の平面図。
【図１２】本発明の実施の形態３に係るセンサチップに設けられた余剰血液貯留部の構成を示す分解平面図。（ａ）は、余剰血液吸引用カバーの平面図。（ｂ）は、余剰血液吸引用スペーサの平面図。
【図１３】図１２のセンサチップの余剰血液貯留部を示す平面図。
【図１４】図１２のセンサチップの血液測定部の分解平面図。（ａ）は、カバーの平面図。（ｂ）は、スペーサの平面図。（ｃ）は、基板の平面図。
【図１５】図１２のセンサチップを構成する血液測定部の平面図。
【図１６】図１２のセンサチップの平面図。
【図１７】本発明の実施の形態４に係るセンサチップの分解平面図。（ａ）は、カバーの平面図。（ｂ）は、スペーサの平面図。（ｃ）は、基板の平面図。
【図１８】図１７のセンサチップの平面図。
【図１９】本発明の実施の形態５に係るセンサチップの分解平面図。（ａ）は、カバーの平面図。（ｂ）は、スペーサの平面図。（ｃ）は、基板の平面図。
【図２０】図１９のセンサチップの平面図。
【図２１】本発明の実施の形態６に係るセンサチップの分解平面図。（ａ）は、カバーの平面図。（ｂ）は、スペーサの平面図。（ｃ）は、基板の平面図。
【図２２】図２１のセンサチップの平面図。
【図２３】本発明の実施の形態７に係るセンサチップの分解平面図。（ａ）は、カバーの平面図。（ｂ）は、スペーサの平面図。（ｃ）は、基板の平面図。
【図２４】図２３のセンサチップの平面図。
【図２５】本発明の実施の形態８に係るセンサチップの分解平面図。（ａ）は、カバーの平面図。（ｂ）は、スペーサの平面図。（ｃ）は、基板の平面図。
【図２６】図２５のセンサチップの平面図。
【図２７】本発明の実施の形態９に係るセンサチップの分解平面図。（ａ）は、カバーの平面図。（ｂ）は、スペーサの平面図。（ｃ）は、基板の平面図。
【図２８】図２７のセンサチップの平面図。
【図２９】本発明の実施の形態１０に係るセンサチップの分解平面図。（ａ）は、カバーの平面図。（ｂ）は、スペーサの平面図。（ｃ）は、基板の平面図。
【図３０】図２９のセンサチップの平面図。
【図３１】本発明の実施の形態１１に係る血液検査装置の部品配置図。
【図３２】図３１の血液検査装置の要部断面図。
【図３３】本発明の実施の形態１２に係るセンサチップの分解平面図。（ａ）は、カバーの平面図。（ｂ）は、スペーサの平面図。（ｃ）は、基板の平面図。
【図３４】図３３のセンサチップの平面図。
【図３５】本発明の実施の形態１３に係るセンサチップの分解平面図。（ａ）は、カバーの平面図。（ｂ）は、スペーサの平面図。（ｃ）は、基板の平面図。
【図３６】図３５のセンサチップの平面図。
【図３７】本発明の実施の形態１４に係るセンサチップの分解平面図。（ａ）は、カバーの平面図。（ｂ）は、スペーサの平面図。（ｃ）は、基板の平面図。
【図３８】図３７のセンサチップの平面図。
【図３９】本発明の実施の形態１５に係るセンサチップの分解平面図。（ａ）は、カバーの平面図。（ｂ）は、スペーサの平面図。（ｃ）は、基板の平面図。
【図４０】図３９のセンサチップの平面図。
【図４１】本発明の実施の形態１６に係るセンサチップの分解平面図。（ａ）は、血液測定部の平面図。（ｂ）は、余剰血液吸引部材の平面図。
【図４２】図４１のセンサチップの平面図。
【図４３】従来のセンサチップの外観図。
【図４４】従来の穿刺器具による穿刺状態を示す図。
【図４５】従来の穿刺器具を用いて穿刺した後、血液を搾り出している様子を示す図。
【図４６】従来の測定器に装着されたセンサチップに滲出した血液を点着している様子を示す図。
【図４７】従来の穿刺後の後処理の様子を示す斜視図。
【発明を実施するための形態】
【００１６】
（実施の形態１）
図１は、実施の形態１におけるセンサチップ１１の平面図である。図２は、図１のＡ―Ａ断面図であり、図３は、図１のＢ−Ｂ断面図である。図１、図２、図３において、センサチップ１１は、板体状をしている。そして、図２、図３に示すように、センサチップ１１は、基板１２と、この基板１２の上方に貼り合わされたスペーサ１３と、このスペーサ１３の上方に貼り合わされたカバー１４とを含む３層構造になっている。つまり、板体状の基板１２とスペーサ１３とカバー１４とが、基体１５を形成している。
【００１７】
また、センサチップ１１は、図１に示すように、略長方形をしており、一方の短辺１６ａ側が半円形となっている。基板１２上には、検出電極１７，１８，１９が敷設されている。検出電極１７，１８，１９は、センサチップ１１の他方の短辺１６ｂに向かって延伸するように形成され、それぞれ接続端子１７ａ，１８ａ，１９ａに接続されている。
【００１８】
短辺１６ａの先端には、測定用の血液３（図３０、図４３及び図４４参照）が流入する流入口２０が設けられている。この流入口２０から他方の短辺１６ｂ方向に向かって、測定用の血液３の供給路（キャピラリ）２１が設けられている。
【００１９】
供給路２１の終端には、空気孔２２が設けられている。供給路２１上には、検出部２３を構成する検出電極１７，１８，１９が配置されている。検出部２３には、試薬２４（図５参照）が載置されている。
【００２０】
試薬２４は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、検出部２３を構成する検出電極１７，１８，１９上に滴下され、乾燥させたものである。
【００２１】
センサチップ１１の一方の長辺１６ｃ側（図１中の上方向）と他方の長辺１６ｄ側（図１中の下方向）とには、それぞれ余剰血液貯留部２５（図１、図３参照）が設けられている。
【００２２】
余剰血液貯留部２５は、穿刺によって皮膚表面に流出した血液のうち、血糖値測定に使用されずに皮膚表面に残された余剰血液を貯留する。そして、余剰血液貯留部２５は、余剰血液３ａを流入させる余剰血液流入口２５ａを有している。余剰血液流入口２５ａは、余剰血液貯留部２５としての空間に連通している。
【００２３】
また、余剰血液貯留部２５は、上述した供給路２１と同様に微小隙間を形成しており、分析用の生体試料である血液３を毛細管現象によって流入させる。余剰血液貯留部２５の容積は、供給路２１の容積の３倍以上である。このため、測定・分析に使用された血液より多くの余剰血液３ａが残った場合でも、余剰血液３ａに対してセンサチップ１１側面の余剰血液流入口２５ａを接触させるだけで、容易に全ての余剰血液３ａを余剰血液貯留部２５に確実に流入させて貯留することができる。
【００２４】
また、流入口２０と余剰血液流入口２５ａとは、異なる位置に別々に設けられている。つまり、流入口２０は、センサチップ１１の短辺１６ａ（図１中の左側）側に設けられている。一方、余剰血液流入口２５ａは、センサチップ１１の長辺１６ｃ及び１６ｄ（図１中の上下方向）側に設けられている。従って、測定用の血液３を流入口２０へ流入させる際に、測定用の血液３が余剰血液流入口２５ａへ流入してしまうことはない。よって、余剰血液流入口２５ａを設けたセンサチップ１１であっても、適正な量の血液３を検出部２３へ流入させることができる。
【００２５】
以上のように、本実施の形態におけるセンサチップ１１は、余剰血液貯留部２５を備えている。これにより、ユーザは、流入口２０から血液３を流入させて血糖値を測定した後、センサチップ１１の長辺１６ｃ又は長辺１６ｄに形成された余剰血液流入口２５ａを介して余剰血液３ａを余剰血液貯留部２５内に貯留することができる。従って、ユーザは従来のようにティシュ８ａや洗浄綿８ｂ等を持ち歩く必要がない。さらに、ユーザは、余剰血液３ａを吸引して汚染されたセンサチップ１１をそのまま廃棄することができる。よって、センサチップ１１内に流入した測定用の血液３と一緒に余剰血液３ａもセンサチップ１１内に貯留することで、容易に余剰血液３ａも廃棄処理することができる。
【００２６】
また、余剰血液流入口２５ａは、センサチップ１１の長辺１６ｃ，１６ｄの両方に（複数）設けられている。このため、センサチップ１１の長辺のどちら側からでも余剰血液３ａを流入させることができる。
【００２７】
さらに、この余剰血液流入口２５ａは、基体１５を構成する３層の真ん中に配置されたスペーサ１３の層に形成されている。これにより、ユーザがセンサチップ１１の最上面、最下面にそれぞれ配置される基板１２及びカバー１４に接触しても、一度取り込まれた余剰血液３ａが外部に漏れたり指等に付着したりして汚染されることはない。
【００２８】
また、余剰血液貯留部２５の内面は、親水性処理されているか、あるいは親水性材料によって形成されている。そして、余剰血液貯留部２５の周辺は、撥水処理されているか、あるいは撥水材料によって形成されている。かつ、余剰血液貯留部２５は、余剰血液３ａを貯留するために十分な容積を持っている。これにより、毛細管現象によって一度取り込まれた余剰血液３ａがセンサチップ１１の側面から流出することを防止することができる。従って、余剰血液３ａを貯留している使用済みのセンサチップ１１は、ティシュ８ａ等で包む必要はなく、そのまま廃棄することができる。
【００２９】
図４（ａ）〜図４（ｃ）は、センサチップ１１を分解した分解平面図である。図４（ｃ）は、センサチップ１１を構成する基板１２の平面図である。センサチップ１１は、短辺１６ａ（図４（ｃ）中の左側）、短辺１６ｂ（図４（ｃ）中の右側）の寸法は約６ｍｍ、長辺１６ｃ，１６ｄの寸法は約２０ｍｍの略長方形（但し、短辺１６ａは半円形でもよい。）である。
【００３０】
基板１２の材質は、ポリエチレンテレフタレート（ＰＥＴ）などの樹脂系材料である。基板１２は、厚さ寸法が、０．１８８ｍｍ（０．０７５ｍｍ〜０．２５０ｍｍの範囲）のものを用いている。基板１２の上面には、スパッタリング法、あるいは蒸着法によって導電層を形成している。そして、導電層をレーザ加工することにより、検出電極１７〜１９、これらの検出電極１７〜１９から夫々導出された接続端子１７ａ〜１９ａを一体的に形成している。
【００３１】
図４（ｂ）は、センサチップ１１を構成するスペーサ１３の平面図である。スペーサ１３は、短辺１６ｅ，１６ｆの寸法は約６ｍｍ、長辺１６ｇ，１６ｈの寸法は約１５ｍｍの略長方形（但し、短辺１６ｅは半円形でもよい。）である。従って、このスペーサ１３を基板１２上に貼り付けると、約５ｍｍ幅の接続端子１７ａ〜１９ａが表面に露出する。
【００３２】
スペーサ１３の短辺１６ｅの先端から短辺１６ｆに向かって、幅０．６ｍｍ、長さ２．４ｍｍのスリット１３ａが形成されている。スリット１３ａは、センサチップ１１の供給路２１を形成する。供給路２１の容積は、０．１４μＬであって、少ない血液量での血糖値測定を可能にしている。従って、血糖値測定のために多くの血液を必要としないため、患者にかかる負担を軽減することができる。
【００３３】
また、スペーサ１３の両長辺１６ｇ，１６ｈ側（図４（ｂ）中の上側、下側）には、それぞれ長方形状の切り込み１３ｂが設けられている。そして、基板１２と後述のカバー１４とを積層することにより、センサチップ１１の両側、つまり基体１５の長手方向の中心線を基準に左右対称な位置に、長方形状をした余剰血液貯留部２５（図１参照）が形成される。スペーサ１３の材質は、ポリエチレンテレフタレートであり、その厚さ寸法は０．１００ｍｍ（０．０５０ｍｍ〜０．１２５ｍｍの範囲）のものを用いることができる。
【００３４】
図４（ａ）は、センサチップ１１を構成するカバー１４の平面図である。カバー１４は、短辺１６ｊ，１６ｋ（図４（ａ）中の左側、右側）の寸法は約６ｍｍ、長辺１６ｍ，１６ｎ（図４（ａ）中の上側、下側）の寸法は約１５ｍｍの略長方形（但し、短辺１６ｊは半円形でもよい。）である。従って、このカバー１４をスペーサ１３上に貼り付けると、短辺１６ｋ側に約５ｍｍ幅の接続端子１７ａ〜１９ａが表面に露出する。
【００３５】
カバー１４は、スペーサ１３に形成されたスリット１３ａの終端部分に対応する位置に、直径０．０５ｍｍの空気孔２２を有している。カバー１４の材質は、ポリエチレンテレフタレートであり、その厚さ寸法は０．０７５ｍｍ（０．０５０ｍｍ〜０．１２５ｍｍの範囲）のものを用いることができる。
【００３６】
なお、少なくとも供給路２１と余剰血液貯留部２５との天井部に対応するカバー１４の裏面には、親水性処理が施されていることが好ましい。これは、毛細管現象によって検出部２３へ流入していく血液３を滑らかに流入させるためである。また、余剰血液貯留部２５についても同様に、余剰血液３ａを滑らかに流入させるためである。
【００３７】
なお、透明部材を用いてカバー１４を形成した場合には、余剰血液３ａの余剰血液貯留部２５への流入の様子を視覚的に確認することができる。更に、この余剰血液貯留部２５内における余剰血液３ａの有無によって、センサチップ１１の使用前、使用後を容易に確認することができる。
【００３８】
図５は、上述したセンサチップ１１の分解斜視図を示している。
基板１２、スペーサ１３およびカバー１４によってセンサチップ１１の基体１５が構成される。スペーサ１３のスリット１３ａによって供給路２１（図１または図６参照）が形成される。また、スペーサ１３の切り込み１３ｂによって余剰血液貯留部２５が形成される。
【００３９】
図６は、センサチップ１１が装填され、血糖値を測定する測定器３１の構成を示すブロック図である。図６において、筐体３２の一方の端部には、センサチップ１１が挿入されるセンサ挿入部３３が設けられている。
【００４０】
センサ挿入部３３の奥部には、センサチップ１１に形成された接続端子１７ａ〜１９ａが接続されるコネクタ３４（各コネクタ３４ａ〜３４ｃ）が装着されている。なお、センサ挿入部３３については、後述の実施の形態で説明する（センサチップ１１１，１４１を除く）センサチップを挿入することができる。
【００４１】
図６において、３４ａは接続端子１７ａが接続されるコネクタであり、３４ｂは接続端子１９ａに接続されるコネクタである。また、３４ｃは、接続端子１８ａが接続されるコネクタである。
【００４２】
各コネクタ３４ａ，３４ｂ，３４ｃは、切替回路３５ａに接続されており、測定内容などに応じて切り替えられる。コネクタ３４ａは、接続端子１７ａに接続され、切替回路３５ａを経由して、電流／電圧変換器３５ｂに入力される。そして、その出力はアナログ／デジタル変換器（以後、Ａ／Ｄ変換器という）３５ｃを介して演算部３５ｄに接続されている。そして、演算部３５ｄの出力は、液晶又は有機ＥＬで形成された表示部３６に接続されている。
【００４３】
演算部３５ｄは、Ａ／Ｄ変換器３５ｃの出力が入力されるだけでなく、測定器３１全体の制御機能も有する。演算部３５ｄは、Ａ／Ｄ変換器３５ｃ、センサチップ１１に電圧を印加する基準電圧源３５ｅの制御端子、切替回路３５ａ、表示部３６及び外部との通信を行なう通信部３７に接続されている。
【００４４】
以上のように構成された測定器３１の動作について、図６、図７を使って説明する。
図７は、センサチップ１１が測定器３１のセンサ挿入部３３に挿入された状態を示した外観斜視図である。
【００４５】
まず、センサチップ１１が、測定器３１のセンサ挿入部３３に挿入される。センサチップ１１が挿入状態にあるか否かは、コネクタ３４ｂとコネクタ３４ｃとの間の抵抗値の変化などによって検知することができる。すなわち、センサチップ１１が挿入されていない場合には、コネクタ３４ｂとコネクタ３４ｃ間はオープンのため、抵抗値は通常無限大となる。一方、センサチップ１１が挿入されている場合には、所定の抵抗値を示す。これにより、センサチップ１１がセンサ挿入部３３へ挿入されたことを容易に検知することができる。測定器３１のセンサ挿入部３３にセンサチップ１１が挿入されると、センサチップ１１の接続端子１７ａ，１９ａ，１８ａが、測定回路部３５の各コネクタ３４ａ，３４ｂ，３４ｃにそれぞれ接続される。
【００４６】
次に、センサチップ１１がセンサ挿入部３３に装着された状態（図７参照）において、測定用の血液３をセンサチップ１１の流入口２０に点着すると、この血液３は毛細管現象によって流入口２０と連通している供給路２１を介して最下流側に配置された検出電極１９上へと導かれる。血液３が検出電極１９上へ導かれることにより、検出電極１７、検出電極１８へ血液３が充分到達したことを検知することができる。
【００４７】
そこで、演算部３５ｄは、切替回路３５ａを制御して、検出電極１８をグランドに接続する。その後一定時間、電流／電圧変換器３５ｂから検出電極１７へ電圧を供給しないように制御する。この間、検出電極１８、検出電極１７上に載置された試薬２４と血液３との反応が進行する。一定時間（２〜５秒間）経過した後、基準電圧源３５ｅにより、切替回路３５ａ、コネクタ３４経由で、センサチップ１１の検出電極１７と検出電極１８との間に一定の電圧を印加する。このとき、検出電極１７と検出電極１８との間に血液３内の血糖値濃度に比例した電流が生ずる。
【００４８】
この電流は、コネクタ３４及び切替回路３５ａ経由で、電流／電圧変換器３５ｂに入力され電圧に変換される。そして、その電圧は、Ａ／Ｄ変換器３５ｃによってデジタルデータに変換される。変換されたデジタルデータは、演算部３５ｄに取り込まれる。演算部３５ｄでは、そのデジタルデータから血糖値を算出し、表示部３６に表示する。
【００４９】
（実施の形態２）
次に、図８〜図１１を用いて、実施の形態２におけるセンサチップ４１（実施の形態１におけるセンサチップ１１に対応）について説明する。
【００５０】
本実施の形態２におけるセンサチップ４１は、余剰血液貯留部４２（実施の形態１における余剰血液貯留部２５に対応）が供給路２１と異なる層に形成されている点で、上述した実施の形態１と相違する。なお、本実施の形態２において、実施の形態１と共通の構成については同符号を付し、説明を簡略化している。なお、これは以降の実施の形態に関しても同様である。
【００５１】
図８は、本実施の形態２に係るセンサチップ４１の平面図である。図９は、図８のＣ―Ｃ断面図であり、図１０は、図８のＤ−Ｄ断面図である。
【００５２】
センサチップ４１は、図９、図１０に示すように、基板４３（実施の形態１における基板１２に対応）と、この基板４３の上面に貼り合わされたスペーサ４４（実施の形態１におけるスペーサ１３に対応）と、このスペーサ４４の上面に貼り合わされたカバー４５（実施の形態１におけるカバー１４に対応）と、このカバー４５の上面に貼り合わされた余剰血液吸引用スペーサ４６と、この余剰血液吸引用スペーサ４６の上面に貼り合わされた余剰血液吸引用カバー４７との５層構造になっている。
【００５３】
基板４３とスペーサ４４とカバー４５と余剰血液吸引用スペーサ４６と余剰血液吸引用カバー４７とが、板体状の基体４８を形成している。
【００５４】
センサチップ４１は、厚みを除いて実施の形態１におけるセンサチップ１１と同じ外形形状を有するとともに、材質もそれぞれ同じものを用いている。なお、余剰血液吸引用スペーサ４６の外形形状と材質は、上記実施の形態１のスペーサ１３と共通であり、余剰血液吸引用カバー４７の外形形状と材質は、上記実施の形態１のカバー１４と共通である。
【００５５】
図１１（ａ）〜図１１（ｅ）は、センサチップ４１の分解平面図である。
図１１（ｅ）は、センサチップ４１を構成する基板４３の平面図であり、上述した実施の形態１におけるセンサチップ１１の基板１２と同様の構成である。
【００５６】
図１１（ｄ）は、センサチップ４１を構成するスペーサ４４の平面図であり、供給路２１（図８または図１０参照）を形成するスリット１３ａが設けられている。
【００５７】
なお、スペーサ４４には、余剰血液貯留部２５を形成する長方形状の切り込み２５ａが形成されていない点で、上述の実施の形態１におけるスペーサ１３と相違する。
【００５８】
図１１（ｃ）は、センサチップ４１を構成するカバー４５の平面図であり、上述の実施の形態１におけるカバー１４と同様の構成である。なお、このカバー４５の材質において透明部材を用いる必要はない。
【００５９】
図１１（ｂ）は、センサチップ４１を構成する余剰血液吸引用スペーサ４６の平面図である。余剰血液吸引用スペーサ４６には、余剰血液貯留部４２（図８、図９参照）を形成する長方形状の切り込み４６ａが、基体４８の長手方向の中心線を基準に対称位置に長辺の両側面にそれぞれ形成されている。また、余剰血液吸引用スペーサ４６は、カバー４５の空気孔２２に対応する位置に、空気孔２２より直径の大きい貫通孔４６ｂを有している。
【００６０】
図１１（ａ）は、センサチップ４１を構成する余剰血液吸引用カバー４７の平面図である。余剰血液吸引用カバー４７には、余剰血液吸引用スペーサ４６の貫通孔４６ｂに対応する位置に、貫通孔４７ａが形成されている。なお、この余剰血液吸引用カバー４７は、透明部材を用いて形成されていることが好ましい。その理由は、実施の形態１と同様である。
【００６１】
本実施の形態２におけるセンサチップ４１は、上述の実施の形態１に示すセンサチップ１１と比べて、余剰血液貯留部４２の容積を大きくすることができる。具体的には、最大でセンサチップ４１の基体４８の体積の３分の２程度の容積を確保することができる。その他の特徴については、上述した実施の形態１のセンサチップ１１と同様である。
【００６２】
以上のことから、本実施の形態のセンサチップ４１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００６３】
（実施の形態３）
本実施の形態３におけるセンサチップ５１（実施の形態２におけるセンサチップ４１に対応）は、図１６に示すように、上述した実施の形態２におけるセンサチップ４１と比べて余剰血液貯留部５２の構成のみが異なる。すなわち、余剰血液貯留部５２の厚み強度を増すため、本実施の形態３では、余剰血液貯留部５２内に複数個の凸５２ｂを設けている。これにより、センサチップ５１が厚み方向に押圧された場合でも、厚み寸法を略一定に保つことができる。そして、余剰血液貯留部５２の厚み方向へ外部から押圧力が加わった場合でも、センサチップ５１が押圧力により厚み方向に撓むことはほとんど無いため、余剰血液３ａが余剰血液流入口５２ａから流出することを防止できる。
【００６４】
本実施の形態３では、余剰血液貯留部５２を形成するため、図１２（ｂ）に示すように、長方形状をした余剰血液吸引用スペーサ５３の上面に凸５２ｂを配置している。この凸５２ｂの高さ寸法は、約０．１ｍｍ（０．０５０ｍｍ〜０．１２５ｍｍの範囲）としている。すなわち、この高さ寸法によって規定された微小隙間によって毛細管現象を生じさせる点では、実施の形態１におけるスペーサ１３と同様である。
【００６５】
凸５２ｂは、余剰血液貯留部５２内に複数個均等に形成されている。例えば、余剰血液貯留部５２内に凸５２ｂの数が少ない程、実質的な余剰血液貯留部５２の容積が増加する。一方、凸５２ｂの数が多い程、実質的な余剰血液貯留部５２の容積は減るものの、余剰血液貯留部５２厚み方向の強度が向上する。そこで、本実施の形態では、これらのバランスを勘案して２３個の凸５２ｂを設けている。凸５２ｂの個数は、センサチップ５１の余剰血液貯留部の面積に応じて適当に増減させればよい。
【００６６】
本実施の形態３でも、上述の実施の形態２の場合と同様に、余剰血液貯留部５２の容積を大きくすることができ、センサチップ５１の基体の体積の３分の２程度まで拡大が可能である。
【００６７】
余剰血液吸引用スペーサ５３の上面には、図１２（ａ）に示すように、余剰血液吸引用カバー５４が貼り付けられる。
【００６８】
余剰血液吸引用カバー５４は、余剰血液吸引用スペーサ５３と同じ寸法である。図１３は、余剰血液吸引用スペーサ５３と余剰血液吸引用カバー５４とを貼り合わせて形成された余剰血液貯留部５２の平面図である。
【００６９】
図１５は、血液測定部５５の平面図である。血液測定部５５は、基板４３（図１４（ｃ）参照）と、基板４３の上面に貼り合わされたスペーサ４４（図１４（ｂ）参照）と、スペーサ４４の上面に貼り合わされたカバー４５（図１４（ａ）参照）とで構成されている。そして、血液測定部５５の上面に、図１３に示す余剰血液貯留部５２を貼り付けて、図１６に示すセンサチップ５１を完成させる。
【００７０】
ここで、余剰血液貯留部５２の凸５２ｂとしては、糊材が塗布されており、余剰血液吸引用カバー５４の裏面に貼り合わされるドットを用いてもよい。また、糊材はホットメルト材等を用いることができる。これにより、別部材としての余剰血液吸引用スペーサ５３が不要となり、部品点数を削減して低価格化を実現することができる。
【００７１】
また、裏面側へ突出したエンボス加工を余剰血液吸引用カバー５４に施すことで、凸５２ｂとしてもよい。
【００７２】
以上のことから、本実施の形態のセンサチップ５１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００７３】
（実施の形態４）
図１８は、本実施の形態４におけるセンサチップ６１（実施の形態１におけるセンサチップ１１に対応）の平面図である。
【００７４】
本実施の形態におけるセンサチップ６１は、余剰血液貯留部６２が、検出電極６３（実施の形態１における検出電極１７に対応）と、検出電極６４（実施の形態１における検出電極１８に対応）とに当接していない点で、上述した実施の形態１と相違する。この構成により、余剰血液貯留部６２が検出電極６３，６４に影響を与えることはない。
【００７５】
図１７（ａ）〜図１７（ｃ）は、センサチップ６１の分解平面図である。図１７（ｃ）は、基板６５（実施の形態１における基板１２に対応）の平面図である。本実施の形態では、検出電極６３，６４の幅は、上述した実施の形態１のセンサチップ１１における基板１２の検出電極１７，１８の幅より狭くなっている。図１７（ｂ）は、スペーサ６６（実施の形態１におけるスペーサ１３に対応）の平面図である。余剰血液貯留部６２を形成する切り込み６６ａは、検知電極６３，６４に当接しないように細くなっている。図１７（ａ）は、スペーサ６６の上面に貼り付けられるカバー１４である。
【００７６】
本実施の形態では、これらの部材（基板６５、スペーサ６６およびカバー１４）を組み合わせることで、センサチップ６１が構成される。
【００７７】
以上のことから、本実施の形態のセンサチップ６１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００７８】
（実施の形態５）
図２０は、本実施の形態５におけるセンサチップ７１（実施の形態４におけるセンサチップ６１に対応）の平面図である。
【００７９】
本実施の形態におけるセンサチップ７１は、流入口２０と検出電極６３との間に検出電極７２（Ｈｃｔ極）を設けた点で、上述した実施の形態４と相違する。この相違により、血液検査において測定値の補正をすることが可能となり測定精度が向上する。
【００８０】
図１９（ａ）〜図１９（ｃ）は、図２０のセンサチップ７１の分解平面図である。図１９（ｃ）は、基板７３（実施の形態４における基板６５に対応）の平面図である。基板７３には、検知電極６３と流入口２０との間に検出電極７２が設けられている。図１９（ｂ）は、スペーサ６６の平面図である。スペーサ６６は、基板７３の上面に貼り付けられている。図１９（ａ）は、スペーサ６６の上面に貼り付けるカバー１４の平面図である。
【００８１】
本実施の形態では、これらの部材（基板７３、スペーサ６６およびカバー１４）を組み合わせることで、センサチップ７１が構成される。
【００８２】
以上のことから、本実施の形態のセンサチップ７１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００８３】
（実施の形態６）
図２２は、実施の形態６におけるセンサチップ８１（実施の形態１におけるセンサチップ１１に対応）の平面図である。
【００８４】
本実施の形態のセンサチップ８１は、余剰血液貯留部２５への血液３の流入が電気的に検知できる点で、上述した実施の形態１のセンサチップ１１と相違する。
【００８５】
これにより、仮に、誤って測定前に血液３が余剰血液貯留部２５へ導入した場合でも、その旨を測定器３１（図６参照）の表示部３６に表示して患者に知らせることができる。
【００８６】
図２１（ａ）〜図２１（ｃ）は、センサチップ８１の分解平面図である。
図２１（ｃ）は、基板８２（実施の形態１における基板１２に対応）の平面図である。基板８２は、上述の実施の形態１におけるセンサチップ１１の検出電極１７（図４（ｃ）参照）に対応する部分を、長手方向に２分割して検出電極８３（作用極）と余剰血液検知電極８５とを形成している。また、上述の実施の形態１におけるセンサチップ１１の検出電極１８（図４（ｃ）参照）に対応する部分を、長手方向に２分割して検出電極８４（対極）と余剰血液検知電極８６とを形成している。
【００８７】
図２１（ｂ）は、スペーサ１３の平面図である。スペーサ１３は、基板８２の上面に貼り付けられている。スペーサ１３に形成された切り込み１３ｂは、基体８２の長手方向の中心線を基準に左右対称位置に設けられている。切り込み１３ｂは、検出電極８３、余剰血液検知電極８５、検出電極８４および余剰血液検知電極８６をそれぞれ跨ぐような寸法関係になっている。これは、余剰血液貯留部２５への血液３の流入を電気的に検出するためである。また、スリット１３ａと切り込み１３ｂとは、互いに離間した位置に設けられている。すなわち、供給路２１と余剰血液貯留部２５とは、互いに独立した位置に配置され、それぞれに流入して貯留される血液３と余剰血液３ａとがお互いに影響を与え合うことはない。
【００８８】
図２１（ａ）は、スペーサ１３の上面に貼り付けるカバー１４である。
本実施の形態のセンサチップ８１は、以上のように構成されているので、検出電極８３と余剰血液検知電極８５、検出電極８４、および余剰血液検知電極８６の間に電圧を印加して、その間の電気抵抗を測定することにより、余剰血液貯留部２５への血液３あるいは余剰血液３ａの流入を検知することができる。
【００８９】
例えば、供給路２１へ血液３が流入するより先に、血液３の余剰血液貯留部２５への流入が検知された場合には、供給路２１への血液３の導入を促す情報を表示部３６（図６参照）に表示してユーザに報知する。なお、供給路２１への血液３の流入は、検出電極８４と検出電極１９との間に電圧を印加し、その電気抵抗を測定することにより検知する。
【００９０】
なお、本実施の形態で示した余剰血液検知電極８５，８６は、上述した実施の形態５で示した検出電極７２（Ｈｃｔ極）を有するセンサチップ７１に対しても適用することができる。
【００９１】
以上のことから、本実施の形態のセンサチップ８１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００９２】
（実施の形態７）
図２４は、本実施の形態７におけるセンサチップ９１（実施の形態１におけるセンサチップ１１に対応）の平面図である。
【００９３】
本実施の形態におけるセンサチップ９１は、余剰血液貯留部９２に連通した余剰血液流入口９２ａが、略長方形をしたセンサチップ９１の短辺９３ａの上方側（第１端側）と長辺９３ｃ、および短辺９３ａの下方側（第２端側）と長辺９３ｄ、に形成されている点で、上述した実施の形態１のセンサチップ１１と相違する。従って、流入口２０へ測定用の血液３を流入させた後、センサチップ９１を少し移動させるだけで、短辺９３ａ側に設けられた余剰血液貯留部９２へ余剰血液３ａを導入することができる。
【００９４】
図２３（ａ）〜図２３（ｃ）は、センサチップ９１の分解平面図である。
図２３（ｃ）は、基板１２の平面図である。基板１２の上面には、図２３（ｂ）に示すスペーサ９４（実施の形態１におけるスペーサ１３に対応）が貼り付けられる。
【００９５】
スペーサ９４は、略長方形状をしたスペーサ９４の短辺９３ａの上方側から長辺９３ｃにかけての部分と、短辺９３ａの下方側から長辺９３ｄにかけての部分に、それぞれ切り欠き９４ｂが設けられている。この切り欠き９４ｂにより、余剰血液貯留部９２と余剰血液流入口９２ａとが形成される。また、この切り欠き９４ｂは、流入口２０を形成するスリット１３ａと離間した位置に設けられている。このスペーサ９４の上面には、図２３（ａ）に示すカバー１４が貼り付けられる。
【００９６】
本実施の形態では、これらの部材（基板１２、スペーサ９４およびカバー１４）を組み合わせることで、センサチップ９１が構成される。
【００９７】
以上のことから、本実施の形態のセンサチップ９１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【００９８】
（実施の形態８）
図２６は、本実施の形態８におけるセンサチップ１０１（実施の形態１におけるセンサチップ１１に対応）の平面図である。
【００９９】
本実施の形態８におけるセンサチップ１０１は、３層構造でありながら大型の余剰血液貯留部１０２を形成している。また、余剰血液貯留部１０２の内部には、複数個の凸１０２ｂを設けて強度向上を図っている。
【０１００】
図２５（ａ）〜図２５（ｃ）は、センサチップ１０１の分解平面図である。
図２５（ｃ）は、基板１２の平面図である。基板１２の上面には、図２５（ｂ）に示すスペーサ１０３（実施の形態１におけるスペーサ１３に対応）が貼り付けられる。
【０１０１】
スペーサ１０３は、略長方形状をしたスペーサ１０３に形成されたスリット１３ａと、このスリット１３ａの奥側全体に形成された複数個の凸１０２ｂとを有している。凸１０２ｂは、上述した実施の形態３における凸５２ｂ（図１２、図１６参照）と同様に形成されている。スペーサ１０３の上面には、図２５（ａ）に示すカバー１４が貼り付けられる。
【０１０２】
本実施の形態では、これらの部材（基板１２、スペーサ１０３およびカバー１４）を組み合わせることで、センサチップ１０１が構成される。
【０１０３】
以上のことから、本実施の形態のセンサチップ１０１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１０４】
（実施の形態９）
図２８は、本実施の形態９におけるセンサチップ１１１（実施の形態１におけるセンサチップ１１に対応）の平面図である。
【０１０５】
本実施の形態におけるセンサチップ１１１は、略長方形状をしたセンサチップ１１１の一方の側面に余剰血液貯留部１１３を設けるとともに、平面視における略中央に血液３の流入口１１２を設けたものである。センサチップ１１１は、穿刺と同時に血液３の性質を測定する血液検査装置１５１（ワンステップ）（図３１参照）に用いられるものである。
【０１０６】
センサチップ１１１の平面視における略中央には、血液３の貯留部１１４が形成されている。貯留部１１４は、直径約２ｍｍの円形形状を有している、そして、貯留部１１４の側面には、測定用の血液３が流入する流入口１１２が設けられている。
【０１０７】
また、流入口１１２に連通して供給路１１５（実施の形態１における供給路２１に対応）が形成されている。この供給路１１５の終端には、空気孔１１６が設けられている。また、供給路１１５上には、貯留部１１４方向から順に、検出部１２１を構成する各電極（検出電極１１７（Ｈｃｔ極）、検出電極１１８（対極）、検出電極１１９（作用極）、検出電極１２０）が設けられている。そして、検出部１２１上には、試薬２４（図２参照）が載置されている。また、検出電極１１７，１１８，１１９，１２０は、センサチップ１１１の長手方向に沿って端部まで導出され、接続端子１１７ａ，１１８ａ，１１９ａ，１２０ａに接続されている。
【０１０８】
センサチップ１１１の側面部分には、余剰血液貯留部１１３が形成されている。
図２７（ａ）〜図２７（ｃ）は、センサチップ１１１の分解平面図である。
【０１０９】
図２７（ｃ）は、略長方形状をした基板１２５（実施の形態１における基板１２に対応）の平面図である。基板１２５には、貯留部１１４に対応する位置に形成された孔１２６と、検出電極１１７，１１８，１１９，１２０と、これらからそれぞれ導出された接続端子１１７ａ，１１８ａ，１１９ａ，１２０ａとが形成されている。
【０１１０】
基板１２５の上面には、図２７（ｂ）に示すスペーサ１２７（実施の形態１におけるスペーサ１３に対応）が貼り付けられる。スペーサ１２７には、貯留部１１４に対応する孔１２８と、この孔１２８に連通し供給路１１５に対応する位置に設けられたスリット１２９と、余剰血液貯留部１１３に対応する位置に切り込み１３０が設けられている。
【０１１１】
スペーサ１２７の上面には、図２７（ａ）に示すカバー１３１が貼り付けられる。カバー１３１には、貯留部１１４に対応する位置に、孔１３２および空気孔１１６が設けられている。ここで、基板１２５に設けられた孔１２６、スペーサ１２７に設けられた孔１２８、カバー１３１に設けられた孔１３２によって、貯留部１１４が構成されている。
【０１１２】
本実施の形態では、これらの部材（基板１２５、スペーサ１２７およびカバー１３１）を組み合わせることで、センサチップ１１１が構成される。
【０１１３】
以上のことから、本実施の形態のセンサチップ１１１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１１４】
（実施の形態１０）
図３０は、実施の形態１０におけるセンサチップ１４１（実施の形態９におけるセンサチップ１１１に対応）の平面図である。
【０１１５】
本実施の形態におけるセンサチップ１４１は、略長方形状のセンサチップ１４１の一方の側面全体に余剰血液貯留部１４２を備えている。そして、余剰血液貯留部１４２の内部には、複数個の凸１４２ａが設けられている。従って、上述した実施の形態８と同様に、余剰血液貯留部１４２の強度の向上を図ることができる。また、余剰血液貯留部１４２の余剰血液流入口１４２ｂは、略長方形状のセンサチップ１４１の短辺１４３ａ側と、両側の長辺１４３ｃ，１４３ｄとに設けられており、センサチップ１４１の三方の何れの方向からでも余剰血液３ａを吸引することができる。
【０１１６】
図２９（ａ）〜図２９（ｃ）は、センサチップ１４１の分解平面図である。
図２９（ｃ）は、基板１２５の平面図である。
【０１１７】
基板１２５の上面には、図２９（ｂ）に示すスペーサ１４４（実施の形態９におけるスペーサ１２７に対応）が貼り付けられる。スペーサ１４４は、略長方形状の片側の面に複数個の凸１４２ａを有している。スペーサ１４４の上面には、図２９（ａ）に示すカバー１３１が貼り付けられる。
【０１１８】
本実施の形態では、これらの部材（基板１２５、スペーサ１４４およびカバー１３１）を組み合わせることで、センサチップ１４１が構成される。
【０１１９】
以上のことから、本実施の形態のセンサチップ１４１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１２０】
（実施の形態１１）
図３１は、上記実施の形態９，１０で示したセンサチップ１１１，１４１を用いて血糖値の測定等を行う血液検査装置１５１の部品配置図である。
【０１２１】
血液検査装置１５１は、糖尿病患者等の皮膚を穿刺するとともに、この穿刺により滲出した血液３の検査を行う。従って、従来のように血液３を滲出させるための穿刺器具と、その血液３を測定する測定器とを別々に用意して使用する必要がない。しかも、一回の操作で、皮膚の穿刺、血液採取及び測定・検査の一連の動作（ワンステップ動作）を行うことができる。
【０１２２】
図３１において、筐体１５２は直方体形状を有している。そして、筐体１５２を構成する本体部１５２ａの端部には、支点１５２ｂを介して、蓋部１５２ｃが回動自在に連結されている。蓋部１５２ｃの開閉は、本体部１５２ａの下方に装着されたセンサ１５２ｄにおいて検出される。穿刺部１５３は、本体部１５２ａ下方の角に設けられており、上ホルダ１５３ａと下ホルダ１５３ｂとによって、上述したセンサチップ１１１、あるいはセンサチップ１４１を挟み込むように構成されている。なお、本実施の形態では、センサチップ１１１を用いた場合について説明する。
【０１２３】
穿刺手段としてのレーザ穿刺ユニット１５４が、穿刺部１５３に対向して装着されている。なお、穿刺手段としては、レーザ穿刺ユニット１５４の代わりに、針穿刺ユニットを用いてもよい。レーザ穿刺ユニット１５４に隣接する位置には、センサユニット１５５が配置されている。センサユニット１５５は、センサ室１５５ａと、乾燥室１５５ｂとを有している。センサ室１５５ａには、センサチップ１１１が積層収納されている。積層収納されたセンサチップ１１１は、ばね１５５ｃにより押し板１５５ｄによって下方に押圧されている。
【０１２４】
乾燥室１５５ｂには、乾燥剤１５５ｅが収納されている。センサ室１５５ａの下方角には、センサチップ１１１が搬出される出口１５５ｆが形成されている。出口１５５ｆから搬出されるセンサチップ１１１は、搬送手段１５５ｇによって搬出される。搬送手段１５５ｇは、搬送プレート１５５ｈと、この搬送プレート１５５ｈを元の状態へ付勢するばね１５５ｊとを有している。
【０１２５】
レーザ穿刺ユニット１５４の上方には、レーザ穿刺ユニット１５４に高電圧を供給する高電圧発生回路１５６が配置されている。高電圧発生回路１５６の上方には、電気回路部１５７が配置されている。また、センサユニット１５５の上方には、負圧手段１５８が設けられている。負圧手段１５８は、負圧路１５８ａを介して穿刺部１５３の負圧室１５３ｄ（図３２参照）へ負圧を供給する。
【０１２６】
本体部１５２ａの上方側面には、レーザ穿刺ユニット１５４からレーサ光１５４ａを発射させる穿刺ボタン１５４ｂが設けられている。穿刺ボタン１５４ｂを押下することにより、レーザ穿刺ユニット１５４からレーザ光１５４ａが放射される。なお、レーザ光１５４ａが外部へ漏れるのを防ぐために、蓋部１５２ｃの開角は一定の角度で規制されている。従って、レーザ光１５４ａが外部へ漏れることはなく安全性を確保できる。
【０１２７】
図３２は、血液検査装置１５１における穿刺部１５３近傍の要部断面図である。
穿刺部１５３は、上ホルダ１５３ａと下ホルダ１５３ｂとを有している。下ホルダ１５３ｂは、板ばね１５３ｅによって上ホルダ１５３ａ側に付勢されている。コネクタ１５９は、上ホルダ１５３ａと下ホルダ１５３ｂとの間に挟まれたセンサチップ１１１の接続端子１１７ａ，１１８ａ，１１９ａ，１２０ａ（図２８参照）と接続され、電気回路部１５７へ信号を伝送する。
【０１２８】
上ホルダ１５３ａの上面には、透明部材１５３ｆが着脱自在に設けられている。透明部材１５３ｆの下方には、孔１５３ｇが設けられている。従って、レーザ穿刺ユニット１５４から放射されたレーザ光１５４ａは、透明部材１５３ｆと、孔１５３ｇと、センサチップ１１１の貯留部１１４と、負圧室１５３ｄと、を一直線に貫通して皮膚６を穿刺する。これにより、皮膚６に穿刺傷が形成されて血液３が滲出する。
【０１２９】
皮膚６から滲出した血液３は、図２８に示すセンサチップ１１１の貯留部１１４から取り込まれる。その後、毛細管現象によって供給路１１５内に導入され、供給路１１５内の検出部１２１に載置された試薬２４との間で化学反応を生じる。
【０１３０】
この化学反応の結果は、コネクタ１５９を介して電気回路部１５７に伝送され、血糖値が測定され、筐体１５２の表面に設けられた表示部（図示せず）に表示される。
【０１３１】
なお、電気回路部１５７には、上述した実施の形態１で示した測定回路部３５と同様の測定回路と、穿刺ボタン１５４ｂの押下信号により高電圧発生回路１５６を制御する制御信号を生成する回路とが含まれているものとする。
【０１３２】
以上のようにして血糖値測定が完了すると、ユーザは、レーザ穿刺によって形成された穿刺傷付近の余剰血液３ａを、上述したセンサチップ１１１の余剰血液貯留部１１３へと流入させる。
【０１３３】
具体的には、ユーザは、血液検査装置１５１からセンサチップ１１１を取り出し、センサチップ１１１の長辺側の側面に形成された微小隙間の開口の部分を、余剰血液３ａが残された皮膚表面に対してこそぎ取るように接触させる。これにより、皮膚上に残された余剰血液３ａは、毛細管現象によって微小隙間から余剰血液貯留部１１３内へと取り込まれて保持される。よって、ユーザは、使用済みのセンサチップ１１１を、余剰血液３ａを拭き取るための脱脂綿等の代わりとして用いることができる。
【０１３４】
なお、本実施の形態において、血液検査装置１５１に装着されるセンサチップとしては、図２８に示すセンサチップ１１１に限らず、上述した各センサチップおよび以下で説明する各センサチップ等を用いることも当然に可能である。
【０１３５】
（実施の形態１２）
図３４は、本実施の形態１２におけるセンサチップ１６１（実施の形態１におけるセンサチップ１１に対応）の平面図である。
【０１３６】
本実施の形態では、略長方形状のセンサチップ１６１の一方の側面全体に、余剰血液貯留部１６２を設けるとともに、他方の側面に、両側面間を貫通する供給路１６３（実施の形態１における供給路２１に対応）が形成されている。従って、センサチップ１６１の一方の側面全体において、余剰血液３ａを吸引させることができるとともに、センサチップ１６１側面のどちらからでも測定用の血液３を所定の検知電極上へと流入させることができる。
【０１３７】
図３３（ａ）〜図３３（ｃ）は、センサチップ１６１の分解平面図である。
図３３（ｃ）は、基板１６５の平面図である。基板１６５上には、基板１６５の長手方向に沿って、検出電極１６６（対極）、検出電極１６７（作用極）、検出電極１６８（検知極）が互いに平行に設けられている。
【０１３８】
供給路１６３（図３４参照）に連通する流入口１６４ａから血液３が流入した場合には、検出電極１６８が血液３の流入を検知する電極となる。一方、供給路１６３（図３４参照）に連通する流入口１６４ｂ側から血液３が流入した場合には、検出電極１６６が血液３の流入を検知する電極となる。
【０１３９】
基板１６５の上面には、図３３（ｂ）に示すスペーサ１６９（実施の形態１におけるスペーサ１３に対応）が貼り付けられる。
【０１４０】
スペーサ１６９は、略長方形状の一方の短辺１６９ａに、余剰血液貯留部１６２を形成する凹面１６９ｂを有している。また、他方の短辺１６９ｃには、供給路１６３を形成する溝１６９ｄが、側面間を貫通するように設けられている。スペーサ１６９の上面には、図３３（ａ）に示すカバー１７０が貼り付けられる。
【０１４１】
カバー１７０には、空気孔は形成されていない。
本実施の形態では、これらの部材（基板１６５、スペーサ１６９およびカバー１７０）を組み合わせることで、センサチップ１６１が構成される。
【０１４２】
以上のことから、本実施の形態のセンサチップ１６１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１４３】
（実施の形態１３）
図３６は、本実施の形態１３におけるセンサチップ１７１（実施の形態１２におけるセンサチップ１６１に対応）の平面図である。
【０１４４】
本実施の形態におけるセンサチップ１７１では、略長方形状のセンサチップ１７１の一方の短辺側にだけ、余剰血液流入口１７２ａを有する余剰血液貯留部１７２が設けられている点で、上述した実施の形態１２と異なっている。従って、センサチップ１７１の一方の短辺側からのみ、余剰血液３ａを吸引させることができる。また、上述した実施の形態１２と同様に、センサチップ１７１の両側面のどちらからでも、測定用の血液３を流入させることができる。
【０１４５】
図３５（ａ）〜図３５（ｃ）は、センサチップ１７１の分解平面図である。
図３５（ｃ）は、基板１６５の平面図である。基板１６５の上面には、図３５（ｂ）に示すスペーサ１７４（実施の形態１２におけるスペーサ１６９に対応）が貼り付けられる。スペーサ１７４では、略長方形状の一方の短辺１７４ａの両端部分を除く部分に、余剰血液貯留部１７２を形成する凹面１７４ｂが形成されている。そして、スペーサ１７４の長辺１７４ｃには、供給路１６３を形成する溝１６９ｄが、両側面間を貫通するように設けられている。スペーサ１７４の上面には、図３３（ａ）に示すカバー１７５が貼り付けられる。カバー１７５には、余剰血液貯留部１７２の奥部に対応する位置に、スリット状の空気孔１７６が形成されている。
【０１４６】
本実施の形態では、これらの部材（基板１６５、スペーサ１７４およびカバー１７５）を組み合わせることで、センサチップ１７１が構成される。
【０１４７】
以上のことから、本実施の形態のセンサチップ１７１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１４８】
（実施の形態１４）
図３８は、本実施の形態１４におけるセンサチップ１８１（実施の形態１３におけるセンサチップ１７１に対応）の平面図である。
【０１４９】
本実施の形態におけるセンサチップ１８１は、センサチップ１７１と比べて、余剰血液貯留部１７２の上面に形成された空気孔１８２の形状のみが異なっている。
【０１５０】
図３７（ａ）〜図３７（ｃ）は、センサチップ１８１の分解平面図である。図３７（ｃ）は、基板１６５の平面図である。基板１６５の上面には、図３７（ｂ）に示すスペーサ１７４が貼り付けられる。スペーサ１７４の上面には、図３７（ａ）に示すカバー１８３が貼り付けられる。カバー１８３には、余剰血液貯留部１７２と対応する位置全体渡って複数個の空気孔１８２が形成されている。
【０１５１】
本実施の形態では、これらの部材（基板１６５、スペーサ１７４およびカバー１８３）を組み合わせることで、センサチップ１８１が構成される。
【０１５２】
以上のことから、本実施の形態のセンサチップ１８１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１５３】
（実施の形態１５）
図４０は、本実施の形態１５におけるセンサチップ１９１（実施の形態１におけるセンサチップ１１に対応）の平面図である。
【０１５４】
本実施の形態におけるセンサチップ１９１は、略長方形状の長辺の一方（上方）側に、測定用の血液３の流入口１９２（実施の形態１における流入口２０に対応）と、この流入口１９２に連通する供給路１９３（実施の形態１における供給路２１に対応）とが設けられている。また、略長方形の長辺の他方（下方）側には、ほぼ長辺全体に亘って形成された余剰血液流入口１９４ａと、この余剰血液流入口１９４ａに連通する余剰血液貯留部１９４とが設けられている。
【０１５５】
従って、センサチップ１９１の一方の長辺から測定用の血液３を導入させることができる。また、余剰血液流入口１９４ａは、他方の長辺全体に渡って設けられているので、余剰血液３ａを取り込む開口を広く確保することができ、容易に流入させることができる。
【０１５６】
図３９（ａ）〜図３９（ｃ）は、センサチップ１９１の分解平面図である。
図３９（ｃ）は、基板１９５の平面図である。略長方形状の基板１９５には、長辺方向に沿って、一方の長辺から中央に向かって順に検知電極１９６（Ｃ極）、検知電極１９７（Ｗ極）、検知電極１９８が互いに平行に敷設されている。検知電極１９６，１９７，１９８は、一方の長辺側から中央までの間に敷設されている。
【０１５７】
基板１９５の上面には、図３９（ｂ）に示すスペーサ１９９が貼り付けられる。
スペーサ１９９には、一方の長辺側から中央に向かって、供給路１９３を形成するスリット１９９ａが設けられている。また、スペーサ１９９には、他方の長辺から中央までの間に、余剰血液貯留部１９４を形成する切り込み１９９ｂが設けられている。スリット１９９ａと切り込み１９９ｂとは、離間した位置に独立して形成されている。
【０１５８】
スペーサ１９９の上面には、図３９（ａ）に示すカバー２００が貼り付けられる。カバー２００には、供給路１９３の奥部に対応する位置に空気孔２００ａが設けられている。
【０１５９】
本実施の形態では、これらの部材（基板１９５、スペーサ１９９およびカバー２００）を組み合わせることで、センサチップ１９１が構成される。
【０１６０】
以上のことから、本実施の形態のセンサチップ１９１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１６１】
（実施の形態１６）
図４２は、本実施の形態１６におけるセンサチップ２０１（実施の形態３におけるセンサチップ５１に対応）の平面図である。
【０１６２】
本実施の形態におけるセンサチップ２０１は、上面あるいは下面に、余剰血液貯留部としての余剰血液吸引部材２０２を貼り付けた点で、上述した各実施の形態とは異なっている。従って、センサチップ２０１の上面或いは下面を余剰血液３ａに接触させることで、余剰血液３ａをセンサチップ２０１内に吸引して貯留することができる。
【０１６３】
図４１（ａ）および図４１（ｂ）は、センサチップ２０１の分解平面図である。
図４１（ａ）は、上述した実施の形態３における血液測定部５５（図１５参照）である。血液測定部５５は、図１４に示す基板４３と、基板４３の上面に貼り付けられたスペーサ４４と、スペーサ４４の上面に貼り付けられたカバー４５とを有している。
【０１６４】
以上のように構成された血液測定部５５の上面あるいは下面には、図４１（ｂ）に示す余剰血液吸引部材（余剰血液貯留部の一例として用いた）２０２が貼り付けられている。
【０１６５】
余剰血液吸引部材２０２は、長方形状を有しており、空気孔２２を覆わない位置に（空気孔２２が露出するように）貼り付けられる。なお、この余剰血液吸引部材２０２には、濾紙のような多孔質部材を用いることができる。
【０１６６】
本実施の形態では、これらの部材（血液測定部５５、余剰血液吸引部材２０２）を組み合わせることで、センサチップ２０１が構成される。
【０１６７】
以上のことから、本実施の形態のセンサチップ２０１を用いることにより、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる等の上記実施の形態と同様の効果を得ることができる。
【０１６８】
＜特徴＞
本発明のセンサチップは、血液などの生体試料の成分を分析するセンサチップであって、板体状の基体と、流入口と、供給路と、検出電極と、を備えている。流入口は、この基体の一端に設けられるとともに分析用の生体試料が流入する。供給路は、この流入口に連通し、生体試料が導入される。検出電極は、この供給路に設けられ、分析用の信号を検出する。基体には、分析に使用されなかった余分な生体試料である余剰血液を吸引するとともに、この吸引した余剰血液を貯える余剰血液貯留部を有している。
【０１６９】
また、基体に、分析に使用されなかった余分な生体試料である余剰血液を吸収する吸収部材を設けたセンサチップも提供されている。
【０１７０】
本発明の測定器は、上記センサチップを使用し測定器であって、筐体と、センサ挿入部と、コネクタと、測定回路部と、表示部と、を備えている。センサ挿入部は、この筐体の一方に設けられるとともにセンサチップが挿入される。コネクタは、このセンサ挿入部に設けられている。測定回路部は、このコネクタに接続されている。表示部は、この測定回路部の出力に接続されている。測定回路部では、センサチップに導入された生体試料の分析データを測定し、その結果を表示部に表示させる。
【０１７１】
これにより、所期の目的を達成することができる。
さらに、本発明の測定器は、筐体と、センサ挿入部と、コネクタと、測定回路部と、表示部と、を備えている。センサ挿入部は、上記センサチップが挿入されるとともに、筐体の一方に設けられる。コネクタは、センサ挿入部に設けられている。測定回路部は、コネクタに接続されている。表示部は、測定回路部の出力に接続されている。コネクタは、センサチップに余剰血液が吸引されたことを検出する余剰血液検出電極用の端子を有している。
【０１７２】
本発明の血液検査装置は、筐体と、センサ挿入部と、穿刺手段と、コネクタと、電気回路部と、表示部と、を備えている。センサ挿入部は、この筐体の一部に設けられるとともに、上記の分析用のセンサチップ（余剰血液検知電極を有する場合も含む）が装着される。穿刺手段は、センサ挿入部に対向する位置または近傍する位置に設けられ、皮膚を穿刺するために設けられている。コネクタは、センサ挿入部に設けられている。電気回路部は、このコネクタに接続され、体液などの生体試料の分析を行なう。表示部は、この電気回路部の出力に接続されている。
【０１７３】
これにより、よりユーザに安全で操作性を向上し、所期の目的を実現している。
（効果）
以上のように本発明によれば、ユーザは、従来のように余剰血液を拭き取るためのティシュや洗浄綿等を持ち歩く必要がなく、しかも測定が終わり余剰血液が吸引されたセンサチップごと廃棄することができる。この結果、余剰血液を容易に処理することができ、作業効率を向上させることができる。
【０１７４】
また、本発明におけるセンサチップは、余剰血液貯留部の内側は親水処理または親水性材料で形成され、余剰血液貯留部の周辺は撥水処理や撥水材料で形成されており、且つ余剰血液貯留部は十分な容積を持っている。このため、一度、センサチップ内に貯留された生体試料である血液が、センサチップから外部に漏れたり付着したりすることも無く安全である。
【産業上の利用可能性】
【０１７５】
本発明に係るセンサチップは、余剰血液を容易に処理することができるので、測定器や血液検査装置等における血液検査等に広く適用可能である。
【符号の説明】
【０１７６】
３    血液
３ａ    余剰血液
１１    センサチップ
１２    基板
１３    スペーサ
１３ｂ    切り込み
１４    カバー
１５    センサチップの基体
１７,１８，１９    検出電極
２０    流入口
２１    供給路
２３    検出部
２５    余剰血液貯留部
【図１】
2010116624.tif 000003
【図２】
2010116624.tif 000004
【図３】
2010116624.tif 000005
【図４】
2010116624.tif 000006
【図５】
2010116624.tif 000007
【図６】
2010116624.tif 000008
【図７】
2010116624.tif 000009
【図８】
2010116624.tif 000010
【図９】
2010116624.tif 000011
【図１０】
2010116624.tif 000012
【図１１】
2010116624.tif 000013
【図１２】
2010116624.tif 000014
【図１３】
2010116624.tif 000015
【図１４】
2010116624.tif 000016
【図１５】
2010116624.tif 000017
【図１６】
2010116624.tif 000018
【図１７】
2010116624.tif 000019
【図１８】
2010116624.tif 000020
【図１９】
2010116624.tif 000021
【図２０】
2010116624.tif 000022
【図２１】
2010116624.tif 000023
【図２２】
2010116624.tif 000024
【図２３】
2010116624.tif 000025
【図２４】
2010116624.tif 000026
【図２５】
2010116624.tif 000027
【図２６】
2010116624.tif 000028
【図２７】
2010116624.tif 000029
【図２８】
2010116624.tif 000030
【図２９】
2010116624.tif 000031
【図３０】
2010116624.tif 000032
【図３１】
2010116624.tif 000033
【図３２】
2010116624.tif 000034
【図３３】
2010116624.tif 000035
【図３４】
2010116624.tif 000036
【図３５】
2010116624.tif 000037
【図３６】
2010116624.tif 000038
【図３７】
2010116624.tif 000039
【図３８】
2010116624.tif 000040
【図３９】
2010116624.tif 000041
【図４０】
2010116624.tif 000042
【図４１】
2010116624.tif 000043
【図４２】
2010116624.tif 000044
【図４３】
2010116624.tif 000045
【図４４】
2010116624.tif 000046
【図４５】
2010116624.tif 000047
【図４６】
2010116624.tif 000048
【図４７】
2010116624.tif 000049
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記流入口は、前記基体の一方の端面に設けられるとともに、
前記余剰血液流入口は、前記流入口が設けられた端面とは異なる前記基体の端面に設けられる、
センサチップ。
【請求項２】
前記余剰血液貯留部は、前記基体の一面または二面以上の面において開口している、
請求項１に記載のセンサチップ。
【請求項３】
前記余剰血液貯留部の容積は、前記供給路の容積より大きい、
請求項１に記載のセンサチップ。
【請求項４】
前記余剰血液貯留部の容積は、前記基体の体積の３分の２以下である、
請求項１から３のいずれかに記載のセンサチップ。
【請求項５】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記余剰血液流入口は、複数設けられている、
センサチップ。
【請求項６】
前記余剰血液流入口は、前記基体の長手方向の中心線を基準に対称位置に配置されている、
請求項５に記載のセンサチップ。
【請求項７】
複数設けられている前記余剰血液流入口は、互いに隣接する位置に配置されている、
請求項５に記載のセンサチップ。
【請求項８】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記余剰血液貯留部は、複数設けられている、
センサチップ。
【請求項９】
複数の前記余剰血液貯留部は、前記基体の長手方向の中心線を基準に対称位置に配置されている、
請求項８に記載のセンサチップ。
【請求項１０】
複数の前記余剰血液貯留部の形状は、それぞれ同一形状に形成されている、
請求項８に記載のセンサチップ。
【請求項１１】
複数の前記余剰血液貯留部の形状は、それぞれ異なる形状に形成されている、
請求項８に記載のセンサチップ。
【請求項１２】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記供給路と前記余剰血液貯留部とは、同一部材で形成されており、
前記基体は、基板とスペーサとカバーとが積層されて形成されているとともに、
前記供給路と前記余剰血液貯留部とは、同一の層に形成されている、
センサチップ。
【請求項１３】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記供給路と前記余剰血液貯留部とは、同一部材で形成されており、
前記基体は、基板とスペーサとカバーとが積層されて形成されているとともに、
前記供給路と前記余剰血液貯留部とは、前記スペーサによって形成される空間として形成されている、
センサチップ。
【請求項１４】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記供給路と前記余剰血液貯留部とは、異なる層に形成されており、
前記基体は、基板とスペーサとカバーと余剰血液吸引用スペーサとが積層されて形成されている、
センサチップ。
【請求項１５】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記供給路と前記余剰血液貯留部とは、異なる層に形成されており、
前記基体は、基板とスペーサとカバーと余剰血液吸引用スペーサと余剰血液吸引用カバーとが積層されて形成されている、
センサチップ。
【請求項１６】
前記供給路と前記余剰血液貯留部とは、別部材で形成されている、
請求項１４または１５に記載のセンサチップ。
【請求項１７】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記余剰血液貯留部内には、複数個の凸が設けられている、
センサチップ。
【請求項１８】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記余剰血液貯留部内へ流入した血液を検知する余剰血液検知電極を有している、
センサチップ。
【請求項１９】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記流入口は、前記基体の第１の辺側に設けられるとともに、
前記余剰血液流入口は、前記流入口側の第２の辺に設けられている、
センサチップ。
【請求項２０】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記流入口は、前記基体の第１の辺側に設けられ、
前記余剰血液流入口は、前記基体の第２の辺側に設けられるとともに、
前記余剰血液貯留部内には、複数個の凸が形成されている、
センサチップ。
【請求項２１】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記基体の第１の辺側に、前記余剰血液流入口が設けられているとともに、
前記基体の第２の辺側に、測定用血液の流入口が設けられている、
センサチップ。
【請求項２２】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記基体の第１の辺全体に、前記余剰血液流入口が設けられているとともに、
前記基体の第２の辺の略中央に前記流入口が設けられている、
センサチップ。
【請求項２３】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記基体の第１の辺全体に前記余剰血液流入口が設けられているとともに、
前記余剰血液貯留部内には、複数個の凸が形成されており、
前記基体の互いに対向する辺間を貫通する供給路をさらに備えている、
センサチップ。
【請求項２４】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、略長方形状を有しており、
前記流入口は、前記略長方形の第１の短辺に設けられており、
前記余剰血液貯留部は、前記基体の上面あるいは下面に貼り付けられた余剰血液吸引部材である、
センサチップ。
【請求項２５】
生体試料の成分を分析するセンサチップにおいて、
板体状の基体と、
前記基体の一端に設けられるとともに、分析用の前記生体試料が流入する流入口と、
前記流入口に連通し、前記生体試料が導入される供給路と、
前記供給路に設けられ、分析用の信号を検出する検出電極と、
前記基体に設けられており、前記分析に使用されなかった余分な生体試料である余剰血液を吸引して貯える余剰血液貯留部と、
を備え、
前記基体は、前記基体の端部に設けられるとともに前記余剰血液貯留部に連通する余剰血液流入口を有し、
前記余剰血液流入口は、毛細管現象によって前記余剰血液を前記余剰血液貯留部へと吸引するとともに、
前記余剰血液流入口及びその周辺部分は、撥水処理されている、または撥水性部材で形成されている、
センサチップ。
【請求項２６】
筐体と、
請求項１から２５のいずれか１つに記載のセンサチップが挿入され、前記筐体の一方に設けられるセンサ挿入部と、
前記センサ挿入部に設けられたコネクタと、
前記コネクタに接続された測定回路部と、
前記測定回路部の出力に接続されており、前記測定回路部において測定された前記センサチップに導入された生体試料の分析データの測定結果を表示する表示部と、
を備え、
前記センサ挿入部に挿入される前記センサチップは、前記余剰血液貯留部内へ流入した血液を検知する余剰血液検知電極を有し、
前記コネクタに設けられており、前記センサチップに余剰血液が吸引されたことを検出する余剰血液検出電極用の端子を、さらに備えている、
測定器。
【請求項２７】
前記余剰血液検出電極用端子は、前記分析用の検出電極と接続する接続端子の一部または全部の端子を兼用している、
請求項２６に記載の測定器。
【請求項２８】
筐体と、
請求項１から２５のいずれか１つに記載のセンサチップが挿入され、前記筐体の一部に設けられるセンサ挿入部と、
前記センサ挿入部に対向する位置または近傍する位置に設けられており、皮膚を穿刺する穿刺手段と、
前記センサ挿入部に設けられたコネクタと、
前記コネクタに接続され、生体試料の分析を行なう電気回路部と、
前記電気回路部の出力に接続された表示部と、
を備え、
前記センサチップは、前記余剰血液貯留部内へ流入した血液を検知する余剰血液検知電極を有し、
前記センサチップに取り込んだ余剰血液の検出を行なう余剰血液検出回路部を、さらに備えている、
血液検査装置。
【国際調査報告】
2010116624.tif 000050
2010116624.tif 000051
2010116624.tif 000052
2010116624.tif 000053